(57)【要約】【課題】屋根束をブレース材によって補強しつつも小屋裏収納に容易に出入りできる小屋裏の軸組み構造および軸組み方法を提供する。【解決手段】複数の屋根束７のうち少なくとも一部の屋根束７の上端部に、ブレース材１０の一端部が連結されており、このブレース材１０は屋根の傾斜方向に沿って配置されたうえで、他端部が屋根４の軒先部裏面を支持する屋根受ブラケット１２に連結されている。このように、ブレース材１０は屋根４の裏面に沿っているので、このブレース材１０が小屋裏収納６に出入りする際に邪魔になることはない。したがって、屋根束７をブレース材１０によって補強しつつも小屋裏収納６に容易に出入りできる。【選択図】        図４
2004238923.tif 000002
【特許請求の範囲】
【請求項１】
建物本体上部に、屋根束が屋根の棟方向と平行に所定間隔で複数立設され、これら屋根束によって屋根が支持され、屋根裏の少なくとも一部が小屋裏収納とされた小屋裏の軸組み構造であって、
前記複数の屋根束のうち少なくとも一部の屋根束の上端部に、ブレース材の一端部が連結されており、このブレース材は屋根の傾斜方向に沿って配置されたうえで、他端部が屋根の裏面または屋根の軒先部裏面を支持する屋根受ブラケットに連結されていることを特徴とする小屋裏の軸組み構造。
【請求項２】
請求項１に記載の小屋裏の軸組み構造において、
前記屋根が切妻屋根であり、
前記ブレース材が取付けられた屋根束は、切妻屋根の妻壁側に配置されたものであることを特徴とする小屋裏の軸組み構造。
【請求項３】
建物本体上部に、屋根束を屋根の棟方向と平行に所定間隔で複数立設した後、これら屋根束によって屋根を支持する小屋裏の軸組み方法であって、
前記複数の屋根束のうち少なくとも一部の屋根束の上端部に、補助ブレース材の一端部を連結するとともに、この補助ブレース材の他端部を他の屋根束の下端部に連結し、
次に、前記複数の屋根束によって屋根を支持した後、前記少なくとも一部の屋根束の上端部にブレース材の一端部を連結するとともに、このブレース材を屋根の傾斜方向に沿って配置したうえで、他端部を屋根の裏面または屋根の軒先部裏面を支持する屋根受ブラケットに連結し、
次に、前記補助ブレース材を前記屋根束から取り外すことを特徴とする小屋裏の軸組み方法。
【請求項４】
請求項３に記載の小屋裏の軸組み方法において、
前記屋根が切妻屋根であり、前記補助ブレース材およびブレース材を取付ける屋根束は、切妻屋根の妻壁側に配置されたものであることを特徴とする小屋裏の軸組み方法。
【請求項５】
請求項３または４に記載の小屋裏の軸組み方法において、
前記少なくとも一部の屋根束の上端部に、補助ブレース材の一端部を連結するとともに、この補助ブレース材の他端部を他の屋根束の下端部に連結するに際し、前記一部の屋根束の上端部と他の屋根束の下端部とにそれぞれブラケットを着脱可能に取り付けておき、これらブラケットにそれぞれ前記補助ブレースの端部を連結し、
前記補助ブレース材の屋根束からの取り外しは、前記ブラケットを屋根束から取り外すことによって行うことを特徴とする小屋裏の軸組み方法。
【発明の詳細な説明】
【０００１】
【発明の属する技術分野】
本発明は建物本体上部に屋根束が立設され、該屋根束によって屋根が支持された小屋裏の軸組み構造および軸組み方法に関する。
【０００２】
【背景の技術】
屋根束によって屋根が支持されて小屋裏の軸組み構造の一例として、例えば、特許文献１に記載されたものが知られている。
すなわち、複数の建物ユニットによって構成された建物本体の上面には、図５および図６に示すように、屋根束７が、屋根４の棟方向と平行な方向に所定間隔で複数立設されており、この屋根束７の上端部によって屋根４の棟と軒先との間の中間部を支持している。なお、屋根４の棟部は例えば屋根４の棟側端部どうしの突き当て等によって支持され、軒先は建物本体の上面外周部に設けたブラケット等によって支持されている。また、屋根４は複数の屋根パネルを棟方向に接合していくことで構成されている。なお、図５においては、ブレース材８を模式的に示している。
また、妻壁側に位置している屋根束７と、それに屋根４の棟方向において隣り合う屋根束７とには、ブレース材８，８が一方の屋根束７の上端部と他方の屋根束７の下端部とを繋ぐように斜めにＸ字状に架設されている。これによって切妻屋根の最外周（妻壁側）における屋根束７の補強を行うとともに、屋根４の施工前に妻壁が倒れないようにしている。
【０００３】
【特許文献１】
特開平０８−２８４３００号公報
【０００４】
【発明が解決しようとする課題】
ところで、住宅等の建物においては、小屋裏に収納を設けることがあり、この場合、小屋裏収納に出入りするには、建物の中央部より外周側つまり外壁側（例えば妻壁側）から出入りできるようにした方が、小屋裏収納への出入りが目立たなくてよいという要望がある。
ところが、上記のように、妻壁側に位置している屋根束７と、それに隣り合う屋根束７とに、ブレース材８，８を一方の屋根束７の上端部と他方の屋根束７の下端部とを繋ぐように斜めにＸ字状に架設しているので、このブレース材８，８が小屋裏収納への出入りの邪魔になってしまう。このブレース材８，８は切妻屋根の最外周（妻壁側）における屋根束７の補強を行うものであるから、ブレース材８が小屋裏収納への出入りの邪魔になってしまうからといって、何も手当てすることなくブレース材８を取り外すことはできない。
【０００５】
本発明は上記事情に鑑みてなされたもので、屋根束をブレース材によって補強しつつも小屋裏収納に容易に出入りできる小屋裏の軸組み構造および軸組み方法を提供することを目的としている。
【０００６】
【課題を解決するための手段】
上記目的を達成するために、請求項１に記載の発明は、例えば図１〜図４に示すように、建物本体３上部に、屋根束７が屋根４の棟方向と平行に所定間隔で複数立設され、これら屋根束７によって屋４根が支持され、屋根裏の少なくとも一部が小屋裏収納６とされた小屋裏の軸組み構造であって、
前記複数の屋根束７のうち少なくとも一部の屋根束７の上端部に、ブレース材１０の一端部が連結されており、このブレース材１０は屋根の傾斜方向に沿って配置されたうえで、他端部が屋根４の裏面または屋根４の軒先部裏面を支持する屋根受ブラケット１２に連結されていることを特徴とする。
【０００７】
請求項１に記載の発明によれば、ブレース材１０はその一端部が、少なくとも一部の屋根束７の上端部に連結され、屋根４の傾斜方向に沿って配置され、他端部が屋根４の裏面または屋根４の軒先部裏面を支持する屋根受ブラケット１２に連結されているので、このブレース材１０によって屋根束７の補強を行える。また、一端部が屋根束７の上端部に連結されたブレース材１０は屋根４の傾斜方向に沿って配置され、他端部が屋根４の裏面に連結されているので、つまり、ブレース材１０は屋根４の裏面に沿っているので、このブレース材１０が小屋裏収納６に出入りする際に邪魔になることはない。
したがって、屋根束７をブレース材１０によって補強しつつも小屋裏収納６に容易に出入りできる。
【０００８】
請求項２に記載の発明は、請求項１に記載の小屋裏の軸組み構造において、
前記屋根４が切妻屋根であり、
前記ブレース材１０が取付けられた屋根束７は、切妻屋根の妻壁側に配置されたものであることを特徴とする。
【０００９】
請求項２に記載の発明によれば、切妻屋根の妻壁側に配置された屋根束７にブレース材１０が取付けられて、該屋根束７が補強されているので、妻壁側の屋根束７をブレース材１０によって補強しつつも妻壁側から小屋裏収納６に容易に出入りできる。
【００１０】
請求項３に記載の発明は、建物本体３上部に、屋根束７を屋根４の棟方向と平行に所定間隔で複数立設した後、これら屋根束７によって屋根４を支持する小屋裏の軸組み方法であって、
前記複数の屋根束７のうち少なくとも一部の屋根束７の上端部に、補助ブレース材１５の一端部を連結するとともに、この補助ブレース材１５の他端部を他の屋根束７の下端部に連結し、
次に、前記複数の屋根束７によって屋根４を支持した後、前記少なくとも一部の屋根束７の上端部にブレース材１０の一端部を連結するとともに、このブレース材１０を屋根４の傾斜方向に沿って配置したうえで、他端部を屋根４の裏面または屋根４の軒先部裏面を支持する屋根受ブラケット１２に連結し、
次に、前記補助ブレース材１５を前記屋根束７から取り外すことを特徴とする。
【００１１】
請求項３に記載の発明によれば、少なくとも一部の屋根束７の上端部に、補助ブレース材１５の一端部を連結するとともに、この補助ブレース材１５の他端部を他の屋根束７の下端部に連結することによって、前記屋根束７が補助ブレース材１５によって補強される。
次に、複数の屋根束７によって屋根４を支持した後、前記少なくとも一部の屋根束７の上端部にブレース材１０の一端部を連結するとともに、このブレース材１０を屋根４の傾斜方向に沿って配置したうえで、他端部を屋根４の裏面または屋根４の軒先部裏面を支持する屋根受ブラケット１２に連結することによって、前記屋根束７がブレース材１０によっても補強される。つまり、この時点において、屋根束７は補助ブレース材１５とブレース材１０との双方によって補強される。
次に、補助ブレース材１５を前記屋根束７から取り外すことによって、屋根束７はブレース材１０によって補強される。
このブレース材１０は屋根４の裏面に沿っているので、同ブレース材１０が小屋裏収納６に出入りする際に邪魔になることはない。
したがって、屋根束７をブレース材１０によって補強しつつも小屋裏収納６に容易に出入りできる。
【００１２】
請求項４に記載の発明は、請求項３に記載の小屋裏の軸組み方法において、
前記屋根４が切妻屋根であり、前記補助ブレース材１５およびブレース材１０を取付ける屋根束７は、切妻屋根の妻壁側に配置されたものであることを特徴とする。
【００１３】
請求項４に記載の発明によれば、切妻屋根の妻壁側に配置された屋根束７に補助ブレース材１５が取付けられて、該屋根束７が補強されているので、妻壁を施工する際にこの妻壁の倒れを屋根束７によって防止できる。
そして、屋根束７によって屋根４を支持した後、屋根束７の上端部にブレース材１０の一端部を連結するとともに、このブレース材１０を屋根４の傾斜方向に沿って配置したうえで、他端部を屋根４の裏面に連結し、次に補助ブレース材１５を前記屋根束７から取り外すことによって、前記屋根束７をブレース材１０によって補強できる。
【００１４】
請求項５に記載の発明は、請求項３または４に記載の小屋裏の軸組み方法において、
前記少なくとも一部の屋根束７の上端部に、補助ブレース材１５の一端部を連結するとともに、この補助ブレース材１５の他端部を他の屋根束７の下端部に連結するに際し、前記一部の屋根束７の上端部と他の屋根束７の下端部とにそれぞれブラケット１６を着脱可能に取り付けておき、これらブラケット１６にそれぞれ前記補助ブレース材１５の端部を連結し、
前記補助ブレース材１５の屋根束７からの取り外しは、前記ブラケット１６を屋根束７から取り外すことによって行うことを特徴とする。
【００１５】
請求項５に記載の発明によれば、補助ブレース材１５の屋根束７からの取り外しを、前記ブラケット１６を屋根束７から取り外すことによって行うので、補助ブレース材１５を容易に屋根束７から取り外すことができるとともに、ブラケット１６が小屋裏収納６に出入りする際に邪魔になることはない。
【００１６】
【発明の実施の形態】
以下、図面を参照して本発明の実施の形態について説明する。
図１および図２は本発明に係る小屋裏の軸組み構造を備えた建物を示すものである。これらの図に示す建物１は、複数の建物ユニット２を連結して構成される建物本体３と、この建物本体３の上部に設けられた屋根４とを備えたユニット式建物である。
建物ユニット２は、四隅に立設された４本のと、これら柱の上端部間に架設された４本の上梁と、前記柱の下端部間に架設された４本の下梁を有する骨組みを備えてほぼ箱形に形成されている。また、建物本体３の上面には床板５が設けられており、この床板５には、小屋裏収納６に出入りするための開口部５ａが形成されている。
【００１７】
前記建物本体３の上部には、屋根束７が屋根４の棟方向と平行に所定間隔で複数（本実施の形態では５本）、かつ二列立設されている。図３は建物１において屋根束７の位置を模式的に示す平面図であり、この図にも示すように、屋根束７は屋根４の棟方向と平行に所定間隔で５本、かつ二列、合計１０本立設されている。
また、屋根束７は図１において左右に隣り合う建物ユニット２，２の接合部上に立設されている。屋根束７の先端部には、図１および図４に示すように、傾斜板７ａが固定されている。この傾斜板７ａは屋根４の傾斜方向に沿って形成するもので、この傾斜板７ａによって屋根４が支持されている。
屋根４は切妻屋根であり、複数の屋根パネル４ａによって構成されている。屋根パネル４ａは、棟側から軒側に向けて低くなる傾斜したパネルであり、屋根パネル４ａの軒先部の裏面が屋根受ブラケット１２によって支持され、棟と軒先との間の中間部が屋根束７によって支持され、棟部は互いに突き合わされて支持されている。なお、屋根受ブラケット１２は屋根４の裏面軒先側において、幅方向に所定間隔離間して、建物本体３に固定されている。
【００１８】
さらに、図３に示すように平面視において、建物１の妻壁側に位置し、かつ棟方向に隣り合う屋根束７，７には、ブレース材８がＸ字状に架設されている。すなわち、一方の屋根束７の上端部と他方の屋根束７の下端部とにブレース材８が、他方の屋根束７の上端部と一方の屋根束７の下端部とにブレース材８が架設されている。また、これらブレース材８は、建物１の妻壁側に位置する２本一組で構成された４組の屋根束７，７のうち、３組の屋根束７，７に架設されており、これによって、３組の屋根束７，７は補強されているが、前記開口部５ａ近くの屋根束７，７にはブレース材８は架設されていない。なお、図３においては、ブレース材８を模式的に示している。
【００１９】
しかし、開口部５ａ近くの屋根束７，７には以下のようにしてブレース材１０が連結されている。すなわち、図４に示すように、一方の屋根束７の傾斜板７ａには、一方のブレース材１０の一端部が連結されており、このブレース材１０は屋根パネル４ａの傾斜方向に沿って配置されたうえで、他端部が屋根パネル４ａの軒先部裏面を支持する一方の屋根受ブラケット１２に連結されている。また、他方の屋根束７の傾斜板７ａには、他方のブレース材１０の一端部が連結されており、このブレース材１０は屋根パネル４ａの傾斜方向に沿って配置されたうえで、他端部が屋根パネル４ａの軒先部裏面を支持する他方の屋根受ブラケット１２に連結されている。これら２本のブレース材１０，１０は屋根パネル４ａの裏面でＸ字状に交差するように配置されている。これによって、開口部５ａ近くの屋根束７，７はブレース材１０によって補強されている。
【００２０】
このように、妻壁側で開口部５ａ近くの屋根束７，７を補強するブレース材１０，１０は、一端部が屋根束７の上端部に連結されたうえで、屋根パネル４ａの傾斜方向に沿って配置され、他端部が屋根パネル４ａの軒先部裏面を支持する屋根受ブラケット１２に連結されているので、つまり、ブレース材１０，１０は屋根４の裏面に沿っているので、このブレース材１０，１０が小屋裏収納６に出入りする際に邪魔になることはない。
したがって、屋根束７，７をブレース材１０，１０によって補強しつつも小屋裏収納６に容易に出入りできる。なお、小屋裏収納６に出入りする場合は、例えば図１に示すように、１階の床と床板５との間に梯子１３をかけ、この梯子１３を昇降して床板５に形成された開口部５ａを通して行えばよい。
【００２１】
上記のような小屋裏の軸組みは以下のようにして行う。すなわち、まず複数の建物ユニット２を前後左右に連結することによって建物本体３を構築した後、建物本体３の上面に、複数の屋根束７を屋根４の棟方向と平行に所定間隔で複数（本実施の形態では５本）、かつ二列立設する。
【００２２】
次に、図３に示すように平面視において、建物１の妻壁側に位置し、かつ棟方向に隣り合う屋根束７，７に、ブレース材８をＸ字状に架設する。この場合、一方の屋根束７の上端部と他方の屋根束７の下端部とにブレース材８を、他方の屋根束７の上端部と一方の屋根束７の下端部とにブレース材８を架設する。また、これらブレース材８は、建物１の妻壁側に位置する２本一組で構成された４組の屋根束７，７のうち、３組の屋根束７，７に架設し、これによって、３組の屋根束７，７は補強される。
一方、残り一組、つまり開口部５ａ近くの屋根束７，７に以下のようにして補助ブレース材１５，１５を架設する。すなわち、図４に示すように、各屋根束７の上端部と下端部とにそれぞれブラケット１６をボルト１７によって着脱可能に取付ける。ブラケット１６の取付けは、屋根束７に工場等で予め取付けておいてもよいし、現場で屋根束７に取付けてもよい。
【００２３】
次に、一方の屋根束７の上端部のブラケット１６に一方の補助ブレース材１５の一端部を連結するとともに、他方の屋根束７の下端部のブラケット１６に一方の補助ブレース材１５の他端部を連結する。同様にして、他方の屋根束７の上端部のブラケット１６に他方の補助ブレース材１５の一端部を連結するとともに、一方の屋根束７の下端部のブラケット１６に他方補助ブレース材１５の他端部を連結する。このようにして、屋根束７，７に補助ブレース材１５をＸ字状に架設する。これによって、残り一組の屋根束７，７は補強される。
【００２４】
次に、建物本体３の上面に図示しない妻壁を立設するとともに、この妻壁が倒れないように、前記４組の屋根束７，７によって妻壁を側方から支持する。次に、建物本体３上に複数の屋根パネル４ａを敷き込むとともに、屋根パネル４ａを前記４組の屋根束７，７を含む全ての屋根束７…、屋根受ブラケット１２…、および妻壁によって支持することによって屋根４を施工する。
【００２５】
次に、前記残り一組の屋根束７，７つまり開口部５ａ近くの屋根束７，７と屋根パネル４ａとに以下のようにしてブレース材１０を連結する。
すなわち、一方の屋根束７の傾斜板７ａに、一方のブレース材１０の一端部を連結し、このブレース材１０を屋根パネル４ａの傾斜方向に沿って配置したたうえで、他端部を一方の屋根受ブラケット１２に連結する。また、他方の屋根束７の傾斜板７ａに、他方のブレース材１０の一端部を連結し、このブレース材１０を屋根パネル４ａの傾斜方向に沿って配置したうえで、他端部を他方の屋根受ブラケット１２に連結する。これら２本のブレース材１０，１０は屋根パネル４ａの裏面でＸ字状に交差するように配置する。これによって、開口部５ａ近くの屋根束７，７はブレース材１０によって補強される。
最後に、屋根束７，７にそれぞれ取付けられているブラケット１６，１６を取り外すことによって、補助ブレース材１５，１５を屋根束７，７から取り外す。
【００２６】
このように、補助ブレース材１５を屋根束７から取り外すことによって、屋根束７はブレース材１０によって補強される。
このブレース材１０は屋根パネル４ａの裏面に沿っているので、同ブレース材１０が小屋裏収納６に出入りする際に邪魔になることはない。
したがって、屋根束７をブレース材１０によって補強しつつも小屋裏収納６に容易に出入りできる。
また、妻壁側に配置された屋根束７，７に補助ブレース材１５，１５が取付けられて、該屋根束７，７が補強されているので、妻壁を施工する際にこの妻壁の倒れを屋根束７，７によって防止できる。
【００２７】
なお、本実施の形態では、屋根パネル４に連結するブレース材１０を、建物１の妻壁側に位置する２本一組で構成された４組の屋根束７，７のうち、開口部５ａ近くの１組の屋根束７，７に連結したが、小屋裏収納６への出入口となる開口部５ａを、複数設けたり、他の位置に設ける場合は、他の屋根束７，７と屋根パ根パネル４ａとにブレース材１０を連結してもよい。
また、ブレース材１０を屋根パネル４ａの傾斜方向に沿って配置したうえで、このブレース材１０の他端部を屋根パネル４ａの軒先部裏面を支持する屋根受ブラケット１２に連結したが、これに代えて、ブレース材１０の他端部を屋根パネル４ａの裏面に連結してもよい。
【００２８】
【発明の効果】
以上説明したように、請求項１に記載の発明によれば、屋根束と屋根の裏面とに連結されたブレース材によって屋根束の補強を行うことができ、このブレース材は、屋根の傾斜方向に沿って配置されているので、このブレース材が小屋裏収納に出入りする際に邪魔になることはない。
したがって、屋根束をブレース材によって補強しつつも小屋裏収納に容易に出入りできる。
【００２９】
請求項２に記載の発明によれば、妻壁側の屋根束をブレース材によって補強しつつも妻壁側から小屋裏収納に容易に出入りできる。
【００３０】
請求項３に記載の発明によれば、屋根束を補助ブレース材とブレース材との双方によって補強した後、補助ブレース材を前記屋根束から取り外すことによって、屋根束をブレース材によって補強できる。
このブレース材は屋根の裏面に沿っているので、同ブレース材が小屋裏収納に出入りする際に邪魔になることはない。
したがって、屋根束をブレース材によって補強しつつも小屋裏収納に容易に出入りできる。
【００３１】
請求項４に記載の発明によれば、切妻屋根の妻壁側に配置された屋根束に補助ブレース材が取付けられて、該妻壁側に配置された屋根束が補助ブレース材によって補強されているので、妻壁を施工する際にこの妻壁の倒れを屋根束によって防止できる。
そして、屋根束をブレース材によって補強した後、補助ブレース材を屋根束から取り外すことによって、屋根束をブレース材によって補強できる。
【００３２】
請求項５に記載の発明によれば、ブラケットの取り外しによって補助ブレース材を容易に屋根束から取り外すことができるとともに、ブラケットが小屋裏収納に出入りする際に邪魔になることはない。
【図面の簡単な説明】
【図１】本発明に係る小屋裏の軸組み構造を備えた建物の一例を示すもので、建物を妻側から見た正面図である。
【図２】同、建物の斜視図である。
【図３】同、屋根束の位置を示す平面図である。
【図４】同、屋根束とブレース材を示す斜視図である。
【図５】従来の小屋裏の軸組み構造の一例を示すもので、屋根束の位置を示す平面図である。
【図６】同、屋根束とブレース材を示す斜視図である。
【符号の説明】
３  建物本体
４  屋根
４ａ  屋根パネル
６  小屋裏収納
７  屋根束
１０  ブレース材
１２  屋根受ブラケット
１５  補助ブレース材
１６  ブラケット
【図１】
2004238923.tif 000003
【図２】
2004238923.tif 000004
【図３】
2004238923.tif 000005
【図４】
2004238923.tif 000006
【図５】
2004238923.tif 000007
【図６】
2004238923.tif 000008